(57)【要約】本体１と、上側導風アセンブリ１２と、前側導風アセンブリ１１と、を含む空気調和機１００である。本体１は、開口が前下方に向かっている吹出口１０１を有し、吹出口１０１の上方には、吹出口１０１と連通され、かつ前方へ送風する上側通路１０２が設けられている。上側導風アセンブリ１２は、上側通路の出口から送出されるように気流をガイドし、上側導風アセンブリ１２は、上側風拡散板１２１を含み、前側導風アセンブリ１１は、吹出口１０１の出口から送出されるように気流をガイドする。
2020506358.tif 000002
【特許請求の範囲】
【請求項１】
開口が前下方に向かっている吹出口を有し、前記吹出口の上方には、前記吹出口に連通され、かつ前方へ送風する上側通路が設けられる本体と、
前記上側通路の出口から送出されるように気流をガイドするための上側導風アセンブリであって、前記上側導風アセンブリは、前記上側通路を開閉可能な上側風拡散板を含む上側導風アセンブリと、
前記吹出口の出口から送出されるように気流をガイドするための前側導風アセンブリであって、前記前側導風アセンブリは、第１導風板を含み、前記第１導風板は、前記吹出口の開口に設けられるとともに、前記吹出口を開閉可能であり、前記前側導風アセンブリには風拡散構造を有する前側導風アセンブリと、を含む、
ことを特徴とする空気調和機。
【請求項２】
前記上側風拡散板は、前記上側通路の出口に設けられ、前記上側風拡散板の上端又は下端は、回転端である、
ことを特徴とする請求項１に記載の空気調和機。
【請求項３】
前記上側風拡散板には、風拡散構造を有する、
ことを特徴とする請求項２に記載の空気調和機。
【請求項４】
前記上側導風アセンブリは、
前記上側通路を開閉する位置の間で移動可能な上側スポイラーをさらに含む、
ことを特徴とする請求項１〜３のいずれか一項に記載の空気調和機。
【請求項５】
前記上側スポイラーが前記上側通路を開いたときに前記吹出口内へ延び、前記吹出口内の少なくとも一部の気流を前記上側通路にガイドする、
ことを特徴とする請求項４に記載の空気調和機。
【請求項６】
前記上側スポイラーが開いているときに、前記吹出口の吹出方向において前記上側通路の下流に位置し、かつ前記吹出口の吹出方向と略垂直である、
ことを特徴とする請求項５に記載の空気調和機。
【請求項７】
前記上側スポイラーは、前記上側通路の入口に回転可能に設けられている、
ことを特徴とする請求項４に記載の空気調和機。
【請求項８】
前記上側スポイラーに風拡散構造が設けられている、
ことを特徴とする請求項７に記載の空気調和機。
【請求項９】
前記上側通路に隣接する側壁には、前記上側通路を保温する保温部材が設置されている、
ことを特徴とする請求項１〜８のいずれか一項に記載の空気調和機。
【請求項１０】
前記第１導風板が前記吹出口を閉じているときに、前記第１導風板の外面と、前記本体の外面とは略同一の平面にある、
ことを特徴とする請求項１〜９のいずれか一項に記載の空気調和機。
【請求項１１】
前記第１導風板は、前記本体に上下反転可能に接続され、かつ前記第１導風板が前記吹出口を開いたときに、
吹出口の吹出方向の前方と完全にずれ、
送風通路の吹出方向の前方と完全にずれ、又は
少なくとも一部が、前記吹出口の吹出方向に沿う前方に設けられ、上又は下へ風をガイドする、
ことを特徴とする請求項１〜１０のいずれか一項に記載の空気調和機。
【請求項１２】
前記前側導風アセンブリは、前記吹出口内に設けられる第２導風板をさらに含み、前記第２導風板は、前記吹出口の吹出方向に沿って延びる第１位置と、前記吹出口の吹出方向に沿って上へ傾斜する第２位置と、前記吹出口の吹出方向に沿って下へ傾斜する第３位置と、前記吹出口の吹出方向と略垂直である第４位置とのうちの少なくとも一つを有する、
ことを特徴とする請求項１〜１１のいずれか一項に記載の空気調和機。
【請求項１３】
前記第２導風板に風拡散構造が設けられている、
ことを特徴とする請求項１２に記載の空気調和機。
【発明の詳細な説明】
【技術分野】
【０００１】
本発明は、空気調和技術の分野に関し、特に空気調和機に関する。
【背景技術】
【０００２】
極端な気候が多くなるにつれて、空気調和機は、多くの家庭に徐々に入るようになり、空気調和機は、人々の生活と仕事により良い環境を提供し、空気調和機の使用中に、空気調和機が直接的に人に風を吹き付けると、不快感を引き起こしやすくて、特に体及び周囲環境の温度が低い場合、冷風が体に当たると、不快感を引き起こし、特に年配の高齢者にとっては、この不快感はより明白である。
【発明の概要】
【発明が解決しようとする課題】
【０００３】
本発明は、従来技術における少なくとも一つの技術的課題をある程度解決することを目的とする。そのため、本発明の一つの目的は、導風効果がよく、使用の快適さがより良い空気調和機を提供する。
【課題を解決するための手段】
【０００４】
本発明の実施例に係る空気調和機は、開口が前下方に向かっている吹出口を有し、前記吹出口の上方には、前記吹出口に連通され、かつ前方へ送風する上側通路が設けられる本体と、前記上側通路の出口から送出されるように気流をガイドするための上側導風アセンブリであって、前記上側導風アセンブリは、前記上側通路を開閉可能な上側風拡散板を含む上側導風アセンブリと、前記吹出口の出口から送出されるように気流をガイドするための前側導風アセンブリであって、前記前側導風アセンブリは、第１導風板を含み、前記第１導風板は、前記吹出口の開口に設けられるとともに、前記吹出口を開閉可能であり、前記前側導風アセンブリには風拡散構造を有する前側導風アセンブリと、を含む。
【０００５】
本発明の実施例に係る空気調和機は、導風効果が良く、使用の快適さがより良い。
【０００６】
また、本発明の上記の実施例に係る空気調和機は、以下の付加的な技術的特徴をさらに有することができる。
本発明の一実施例では、前記上側風拡散板は、前記上側通路の出口に設けられ、前記上側風拡散板の上端又は下端は、回転端である。
【０００７】
本発明の一実施例では、前記上側風拡散板には、風拡散構造を有する。
【０００８】
本発明の一実施例では、前記上側導風アセンブリは、前記上側通路を開閉する位置の間で移動可能な上側スポイラーをさらに含む。
【０００９】
本発明の一実施例では、前記上側スポイラーが前記上側通路を開いたときに前記吹出口内へ延び、前記吹出口内の少なくとも一部の気流を前記上側通路にガイドする。
【００１０】
本発明の一実施例では、前記上側スポイラーが開いているときに、前記吹出口の吹出方向において前記上側通路の下流に位置し、かつ前記吹出口の吹出方向と略垂直である。
【００１１】
本発明の一実施例では、前記上側スポイラーは、前記上側通路の入口に回転可能に設けられている。
【００１２】
本発明の一実施例では、前記上側スポイラーには、風拡散構造が設けられている。
【００１３】
本発明の一実施例では、前記上側通路に隣接する側壁には、前記上側通路を保温する保温部材が設置されている。
【００１４】
本発明の一実施例では、前記第１導風板が前記吹出口を閉じているときに、前記第１導風板の外面と、前記本体の外面とは略同一の平面にある。
【００１５】
本発明の一実施例では、前記第１導風板は、前記本体に上下反転可能に接続され、かつ前記第１導風板が前記吹出口を開いたときに、吹出口の吹出方向の前方と完全にずれ、送風通路の吹出方向の前方と完全にずれ、又は少なくとも一部が、前記吹出口の吹出方向に沿う前方に設けられ、上又は下へ風をガイドする。
【００１６】
本発明の一実施例では、前記前側導風アセンブリは、前記吹出口内に設けられる第２導風板をさらに含み、前記第２導風板は、前記吹出口の吹出方向に沿って延びる第１位置と、前記吹出口の吹出方向に沿って上へ傾斜する第２位置と、前記吹出口の吹出方向に沿って下へ傾斜する第３位置と、前記吹出口の吹出方向と略垂直である第４位置とのうちの少なくとも一つを有する。
【００１７】
本発明の一実施例では、前記第２導風板に風拡散構造が設けられている。
【図面の簡単な説明】
【００１８】
【図１ａ】本発明の一実施例の空気調和機の異なる状態の概略図である。
【図１ｂ】本発明の一実施例の空気調和機の異なる状態の概略図である。
【図１ｃ】本発明の一実施例の空気調和機の異なる状態の概略図である。
【図１ｄ】本発明の一実施例の空気調和機の異なる状態の概略図である。
【図１ｅ】本発明の一実施例の空気調和機の異なる状態の概略図である。
【図１ｆ】本発明の一実施例の空気調和機の異なる状態の概略図である。
【図１ｇ】本発明の一実施例の空気調和機の異なる状態の概略図である。
【図２ａ】本発明の他の実施例の空気調和機の異なる状態の概略図である。
【図２ｂ】本発明の他の実施例の空気調和機の異なる状態の概略図である。
【図２ｃ】本発明の他の実施例の空気調和機の異なる状態の概略図である。
【図２ｄ】本発明の他の実施例の空気調和機の異なる状態の概略図である。
【図２ｅ】本発明の他の実施例の空気調和機の異なる状態の概略図である。
【図３ａ】本発明のさらに他の実施例の空気調和機の異なる状態の概略図である。
【図３ｂ】本発明のさらに他の実施例の空気調和機の異なる状態の概略図である。
【図３ｃ】本発明のさらに他の実施例の空気調和機の異なる状態の概略図である。
【図３ｄ】本発明のさらに他の実施例の空気調和機の異なる状態の概略図である。
【図３ｅ】本発明のさらに他の実施例の空気調和機の異なる状態の概略図である。
【図３ｆ】本発明のさらに他の実施例の空気調和機の異なる状態の概略図である。
【図３ｇ】本発明のさらに他の実施例の空気調和機の異なる状態の概略図である。
【図３ｈ】本発明のさらに他の実施例の空気調和機の異なる状態の概略図である。
【図３ｉ】本発明のさらに他の実施例の空気調和機の異なる状態の概略図である。
【図３ｊ】本発明のさらに他の実施例の空気調和機の異なる状態の概略図である。
【発明を実施するための形態】
【００１９】
以下に、本発明の実施例を詳細に説明する。前記実施例の例が図面に示されるが、同一または類似する符号は、常に、同一又は類似する部品、或いは、同一又は類似する機能を有する部品を表す。以下に、図面を参照しながら説明された実施例は例示的なものであり、本発明を解釈するためだけに用いられ、本発明を限定するものと理解してはいけない。
【００２０】
図１〜図３を参照し、本発明の実施例に係る空気調和機１００は、移動式空気調和機や壁掛け式空気調和機の室内機などであってもよい。当該空気調和機１００は、本体１を含み、本体１は、開口が前下方に向かっており、前下方へ送風するための吹出口１０１を有する。吹出口１０１の上方と下方との少なくとも一方には、外へ送風する通路が設けられている。
【００２１】
本発明は、吹出口１０１の上方と下方とに送風通路を設置することによって、気流を他の場所にガイドすることができるため、必要なときに風が人に当たらないという効果を実現することができる。
【００２２】
空気調和機１００に前側導風アセンブリ１１が設置され、前側導風アセンブリ１１は、吹出口１０１の出口から送出されるように気流をガイドする。
【００２３】
また、吹出口１０１の上方及び／又は下方に設置される通路に保温部材１４が設置され、保温部材１４は、通路内を保温して、断熱効果を有し、冷風が対応する通路を通過する際の結露の発生を避ける。
【００２４】
また、当該保温部材１４は、通路外や通路内に設置され、又は通路壁に埋め込むことができる。
【００２５】
図１〜図３に示すように、本発明の一部の実施例において、前側導風アセンブリ１１は第１導風板１１１を含み、第１導風板１１１は吹出口１０１の開口に設けられ、吹出口１０１を開閉するため、第１導風板１１１によって吹出口１０１を開閉することができる。例えば、第１導風板１１１が吹出口１０１を閉じているときに、空気調和機１００はオフ状態であってもよいし、または、第１導風板１１１が吹出口１０１を閉じているときに、空気調和機１００はオン状態であってもよく、吹出口１０１の上方と下方との少なくとも一方には、外へ送風する通路が設けられているため、気流は、吹出口１０１の上方及び／又は下方に設置される通路から送出することができ、異なる方向への送風が実現される。
【００２６】
さらに、第１導風板１１１には、通風および気流を分散するための風拡散構造を設置することができる。
【００２７】
本発明の風拡散構造は、微細孔、気泡、ブレード、ブラインドなどを含むが、これらに限定されない。ここで、風拡散構造は、微細孔、気泡、ブレード、ブラインドなどのうちの一つであってもよいし、これらの構成の組み合わせであってもよい。気泡とは、吹出方向に沿って突出し、吹出方向と所定の角度をなすマイクロ通路を指す。風拡散構造の複数の風拡散口は、対向、反対、上、下などの方向に向かって風拡散を行うことができる。
【００２８】
好ましくは、図１〜図３に示すように、第１導風板１１１が吹出口１０１を閉じているときに、第１導風板１１１の外面と、本体１の外面とはほぼ同一の平面にある。これによって、空気調和機１００の外観が美しくなり、第１導風板１１１が吹出口１０１を完全に閉塞することが便利になる。
【００２９】
さらに、第１導風板１１１は、本体１に上下反転可能に接続され、第１導風板１１１が吹出口１０１をオープンにするときに吹出口１０１の吹出方向の前方と完全にずれるため、第１導風板１１１は、吹出口１０１から送出される気流を遮らない。
【００３０】
また、第１導風板１１１が、開いているときに少なくとも一部が、吹出口１０１の送風方向に沿う前方に設けられて、上又は下へ風をガイドするように設置されるため、第１導風板１１１によって上又は下へ風をガイドすることができる。
【００３１】
当然ながら、第１導風板１１１が開いているときには、例えば、吹出口１０１の上方（又は下方）に設けられる通路などを遮るか、又は遮らないような他の形態であってもよい。
【００３２】
また、上記の第１導風板１１１の位置は、衝突していなく、つまり、空気調和機１００において、第１導風板１１１は、開いているときに上記の一つ又は複数の状態にあるように設置することができ、第１導風板１１１の開角度を調整することによって実現することができる。
【００３３】
さらに、前側導風アセンブリ１１は、吹出口１０１内に設けられる第２導風板１１２をさらに含み、第２導風板１１２は、第１位置と、第２位置と、第３位置と、第４位置とのうちの少なくとも一つを有する。
【００３４】
ここで、第２導風板１１２は、第１位置では吹出口１０１の吹出方向に沿って延び、第２導風板１１２は、第２位置では吹出口１０１の吹出方向に沿って上へ傾斜し、第２導風板１１２は、第３位置では吹出口１０１の吹出方向に沿って下へ傾斜し、第２導風板１１２は、第４位置では吹出口１０１の吹出方向と略垂直である。
【００３５】
本発明の一部の実施例において、第２導風板１１２は、第１位置と、第２位置と、第３位置と、第４位置とのうちの少なくとも一つを有する。第２導風板１１２は、第１位置、第２位置、第３位置、及び第４位置において異なる方向への風ガイドを実現することができる。
【００３６】
第２導風板１１２は、第１位置では吹出口１０１の吹出方向に沿って延びる。
【００３７】
具体的には、吹出口１０１の上方又は下方に通路が設置された空気調和機１００にとっては、このときの第２導風板１１２が、分流の機能を有する。
【００３８】
吹出口１０１の上方と下方との両方にいずれも通路が設置されている場合、気流が第２導風板１１２によって分流された後、少なくとも一部が、吹出口１０１の上方と下方との通路に入る。
吹出口１０１の上方に通路が設置されている（又は下方にも通路が設置されているが、クローズされている）場合、気流が第２導風板１１２によって分流された後、少なくとも一部が、吹出口１０１の上方の通路に入り、他の部分は、吹出口１０１から送出される。
吹出口１０１の下方に通路が設置されている（又は上方にも通路が設置されているが、クローズされている）場合、気流が第２導風板１１２によって分流された後、少なくとも一部が、吹出口１０１下方の通路に入り、他の部分は、吹出口１０１から送出される。
吹出口１０１の上方と下方との両方にいずれも通路が設置されていない（又は上方と下方との両方にいずれも通路が設置されているが、クローズされている）場合、吹出方向に沿って延びる第２導風板１１２は、気流を遮らない。
【００３９】
第２導風板１１２は、第２位置にあるときに上へ風をガイドする。
【００４０】
具体的には、吹出口１０１から送出された気流は、上へ流れるようにガイドされる。特に、空気調和機１００の冷房時に、第２導風板１１２は、吹き出した気流を前上方にガイドし、そして冷たい空気が自然に落ちて、スプレーのような気流効果を形成し、冷房効果がより良くなる。当然、暖房時にもこのような導風形態を使用することができる。
【００４１】
さらに、第２導風板１１２は、第２位置にあるときに吹出口１０１の吹出方向に沿って上へ傾斜して延びる。これによって上へ風をガイドする効果がより良く実現される。
【００４２】
好ましくは、第２導風板１１２は、第２位置にあるときに吹出口１０１の前方に位置し、少なくとも一部が吹出口１０１内に位置するか、又は全部が吹出口１０１内に位置し、好ましくは、第２導風板１１２は、吹出口１０１の幅方向における中間位置に正対する。
【００４３】
第２導風板１１２は、第３位置にあるときに下へ風をガイドする。
【００４４】
具体的には、空気調和機１００が下へ送風する目的を実現することができ、特に空気調和機１００の暖房中に、第２導風板１１２は反転して熱風を下へガイドし、熱風が上昇するため、下へガイドされた熱風は、空間の全体をさらに容易に満たし、空間内の暖房の快適さを改善することができる。
【００４５】
また、下へ風をガイドすることは、足を温める効果を実現することもできる。さらに、下へ風をガイドすることは、当然ながら、冷房中にも使用することができる。さらに、第２導風板１１２が第３位置にあるときに吹出口１０１の吹出方向に沿って下へ傾斜して延びる。
【００４６】
第２導風板１１２は、第４位置にあるときに吹出口１０１を遮る。又は第２導風板１１２は、第４位置にあるときに吹出口１０１の吹出方向と略垂直である（吹出方向と垂直であること、および吹出方向と５０°〜９０°の夾角をなすなど、を含む）。
【００４７】
また、第２導風板１１２は、第４位置にあるときに吹出口１０１の上縁及び下縁から離間することができ、気流は、第２導風板１１２の上縁と下縁とから吹き出すことができる。
【００４８】
好ましくは、第２導風板１１２に風拡散構造が設けられている。ここで、前記の風拡散構造は、上記の風拡散構造であってもよい。
【００４９】
また、前述したように、吹出口１０１の上方と下方との両方には、いずれも送風の通路を設置することができ、以下、上記のいずれかの実施例に基づいて図面を参照して本発明の一部の実施例をさらに説明する。
【００５０】
（実施例１）
図１に示すように、吹出口１０１の上方には、吹出口１０１に連通され、かつ前方へ送風する上側通路１０２が設けられており、上側通路１０２によって前方へ送風する効果を実現することができる。当然ながら、上側通路１０２に対応して上側導風アセンブリ１２が設置され、言い換えれば、本発明の空気調和機１００は、上側通路１０２の出口から送出されるように気流をガイドするための上側導風アセンブリ１２をさらに含む。
【００５１】
上記の実施例を組み合わせると、前側導風アセンブリ１１が上記の第１導風板１１１を含む場合、第１導風板１１１は、上側通路１０２の吹出方向の前方と完全にずれた位置をさらに有することができるため、上側通路１０２の送風を遮らない。
【００５２】
図１ｃに示すように、本発明の一部の例では、上側導風アセンブリ１２は、上側風拡散板１２１を含み、上側風拡散板１２１は、上側通路１０２を閉塞することができる。
【００５３】
さらに、図１ｃに示すように、上側風拡散板１２１上には、風拡散構造を有する。上側風拡散板１２１上の風拡散機構は、上記の風拡散構造であってもよい。
【００５４】
好ましくは、上側風拡散板１２１は、上側通路１０２の出口に設けられる。
【００５５】
図１ｂと図１ｃとに示すように、本発明の一部の例では、上側導風アセンブリ１２は、上側通路１０２を開閉する位置の間で移動可能な上側スポイラー１２２をさらに含む。
【００５６】
好ましくは、上側スポイラー１２２が上側通路１０２を開いたときに吹出口１０１内へ延び、吹出口１０１内の少なくとも一部の気流を上側通路にガイドする。
【００５７】
具体的には、上側スポイラー１２２が上側通路１０２を開いたときに上側通路１０２の中間位置に対向することができ、吹出口１０１の吹出方向において上側通路１０２の下流に位置することもできる。
【００５８】
ここで、上側スポイラー１２２が開いているときに吹出口１０１の吹出方向と略垂直となることができ、上側スポイラー１２２が、吹出口１０１の吹出方向に沿って傾斜して上側通路に延びる形態に設置することもできる。
【００５９】
さらに、上側スポイラー１２２は、上側通路１０２の入口に回転可能に設けられる。
【００６０】
好ましくは、上側スポイラー１２２には、風拡散構造が設けられている。上側スポイラー１２２が上側通路１０２を閉じているときに、吹出口１０１の一部の気流は、上側スポイラー１２２を通過して上側通路１０２から送出されることがある。上側スポイラー１２２が上側通路１０２を開いたときに、吹出口１０１における、上側スポイラー１２２を通過する気流の一部は、上側スポイラー１２２の風拡散構造を通過して送出され、他部分は、上側通路１０２にガイドされて上側通路１０２から送出される。
【００６１】
また、上側スポイラー１２２の風拡散構造は、上記の風拡散構造であってもよい。
【００６２】
ここで、上記の実施例に対応して、前側導風アセンブリ１１が第２導風板１１２を含む場合、第２導風板１１２は、上側スポイラー１２２と組み合わせて送風を実現することができる。
【００６３】
例えば、上側スポイラー１２２が前記上側通路１０２を開いたときに、上側スポイラー１２２と第２導風板１１２とは、いずれも吹出口１０１の吹出方向と略垂直となるように設置することができ、上側スポイラー１２２が吹出口１０１の吹出方向と略垂直となるように設置されるとともに、第２導風板１１２が吹出口１０１の吹出方向に沿うように設置することもできる。
【００６４】
また、上側通路１０２の内側面に保温部材１４を設置することができる。
【００６５】
（実施例２）
実施例１と異なるのは、上側通路１０２は、開閉可能な形態に設置されることである。
【００６６】
具体的には、図３と図４とを参照し、上側通路１０２の上側導風アセンブリ１２は、上側通路１０２を開閉可能な形態に設置される上側風拡散板１２１を含む。
【００６７】
上側風拡散板１２１が開いているときに上側通路１０２の気流をガイドすることができ、具体的には、上側風拡散板１２１が開いているときに空気調和機の外側へ延びるとともに、上へ傾斜することもできる。
【００６８】
また、上側風拡散板１２１は、上側通路１０２の出口に設けられ、また、上側風拡散板１２１は、回転することによって上側通路１０２を開閉することができる形態に設置することができる。
【００６９】
例えば、図１ｆに示すように、上側風拡散板１２１の上端を回転端に設置することができ、つまり、上側風拡散板１２１の上端は回転可能であり、上側風拡散板１２１が開いているときに、気流が上側風拡散板１２１の下方から送出される。図１ｇに示すように、上側風拡散板１２１の下端を回転端に設置することもでき、つまり、上側風拡散板１２１の下端は回転可能であり、上側風拡散板１２１が開いているときに、気流が上側風拡散板１２１の上方から送出される。
【００７０】
また、実施例１における上側スポイラー１２２は、同様に設置することもできる（設置しなくてもよい）。
上側風拡散板１２１の構造は、実施例１における構造と類似することができ、つまり、実施例２における上側風拡散板１２１にも、風拡散構造を設置することができる。
【００７１】
（実施例３）
図２に示すように、吹出口１０１の下方には、吹出口１０１に連通され、かつ後方へ送風する下側通路１０３が設けられており、下側通路１０３によって後方へ送風する効果を実現することができる。当然ながら、下側通路１０３に対応して下側導風アセンブリ１３が設置され、言い換えれば、本発明の空気調和機１００は、下側通路１０３の出口から送出されるように気流をガイドするための下側導風アセンブリ１３をさらに含む。
【００７２】
上記の実施例を組み合わせると、前側導風アセンブリ１１が上記の第１導風板１１１を含む場合、第１導風板１１１は、下側通路１０３の吹出方向の前方と完全にずれた位置を有することができるため、下側通路１０３の送風を遮らない。
【００７３】
図に示すように、本発明の一部の例では、下側導風アセンブリ１３は、下側風拡散板１３１を含み、下側風拡散板１３１は、下側通路１０３を閉塞することができる。
【００７４】
さらに、下側風拡散板１３１には、風拡散構造を有する。下側風拡散板１３１の風拡散機構は、上記の風拡散構造であってもよい。
【００７５】
好ましくは、下側風拡散板１３１は、下側通路１０３の出口に設けられる。
【００７６】
本発明の一部の例では、下側導風アセンブリ１３は、下側通路１０３を開閉する位置の間で移動可能な下側スポイラー１３２をさらに含む。
【００７７】
好ましくは、下側スポイラー１３２が下側通路１０３を開いたときに吹出口１０１内へ延び、吹出口１０１内の少なくとも一部の気流を下側通路１０３にガイドする。
【００７８】
具体的には、下側スポイラー１３２が下側通路１０３をオープンにするときに下側通路１０３の中間位置に対向することができ、吹出口１０１の吹出方向において下側通路１０３の下流に位置することもできる。
【００７９】
下側スポイラー１３２が開いているときに吹出口１０１の吹出方向と略垂直となることができ、下側スポイラー１３２は、吹出口１０１の吹出方向に沿って傾斜して下側通路１０３に延びる形態に設置することもできる。
【００８０】
さらに、下側スポイラー１３２は、下側通路１０３の入口に回転可能に設けられる。
【００８１】
好ましくは、下側スポイラー１３２に風拡散構造が設けられている。下側スポイラー１３２が下側通路１０３を閉じているときに、吹出口１０１の一部の気流は、下側スポイラー１３２を通過して下側通路１０３から送出されることがある。下側スポイラー１３２が下側通路１０３を開いたときに、吹出口１０１における、下側スポイラー１３２を通過する気流の一部は、下側スポイラー１３２の風拡散構造から送出され、他部分は、下側通路１０３から送出されるようにガイドされる。
【００８２】
また、下側スポイラー１３２の風拡散構造は、上記の風拡散構造であってもよい。
【００８３】
ここで、上記の実施例に対応して、前側導風アセンブリ１１が第２導風板１１２を含む場合、第２導風板１１２は、下側スポイラー１３２を組み合わせて送風を実現することができる。
【００８４】
例えば、下側スポイラー１３２が前記下側通路１０３を開いたときに、下側スポイラー１３２と第２導風板１１２との両方は、いずれも吹出口１０１の吹出方向と略垂直となるように設置することができ、下側スポイラー１３２が吹出口１０１の吹出方向と略垂直となるように設置されるとともに、第２導風板１１２が吹出口１０１の吹出方向に沿うように設置することもできる。
【００８５】
また、下側通路１０３の内側面に保温部材１４を設置することができる。
【００８６】
（実施例４）
図２に示すように、実施例３と異なるのは、下側通路１０３は、開閉可能な形態に設置されていることである。
【００８７】
具体的には、下側通路１０３の下側導風アセンブリ１３は、下側風拡散板１３１を含み、下側風拡散板１３１は、下側通路１０３を開閉可能な形態に設置することができる。
【００８８】
ここで、下側風拡散板１３１が開いているときに下側通路１０３の気流をガイドすることができ、具体的には、下側風拡散板１３１が開いているときにエアコンの外側へ延びるとともに、上へ傾斜することができる。
【００８９】
また、下側風拡散板１３１は、下側通路１０３の出口に設けられ、また、下側風拡散板１３１は、回転することによって下側通路１０３を開閉することができる形態のように設置することができる。
【００９０】
例えば、下側風拡散板１３１の前端を回転端に設置することができ、つまり、下側風拡散板１３１の前端は回転可能であり、下側風拡散板１３１が開いているときに、気流が下側風拡散板１３１の後方から送出される。下側風拡散板１３１の後端を回転端に設置することができ、つまり、下側風拡散板１３１の後端は回転可能であり、下側風拡散板１３１が開いているときに、気流が下側風拡散板１３１の前方から送出される。
【００９１】
また、実施例１における下側スポイラー１３２は、同様に設置することもでき（設置しなくてもよい）、下側風拡散板１３１の構造は、実施例１における構造と類似することができ、つまり、実施例２における下側風拡散板１３１にも、風拡散構造を設置することができる。
【００９２】
（実施例５）
図３に示すように、上記の実施例と異なるのは、吹出口１０１の上方には、吹出口１０１に連通され、かつ前方へ送風する上側通路１０２が設置され、同時に、吹出口１０１の下方には、吹出口１０１に連通され、かつ後方へ送風する下側通路１０３が設置されている。同様に、上側通路１０２に上側導風アセンブリ１２を設置することができ、下側通路１０３に下側導風アセンブリ１３を設置することができる。
【００９３】
また、実施例１および２における全部又は一部の技術案を含むことができ、また、実施例３および４における全部又は一部の技術案を含むことができる。
【００９４】
本発明の異なる実施例に係る空気調和機１００によれば、気流が、後方の壁への「逆方向吹き付け」及び／又は「前方への」吹き付けを実現することができ、「無風感」であるが、風量がより大きくなり、美的の古典的な「穴」をすべて保留することができる。また、無風感で前方へ吹き付けるプロセスにおいて風速が低いことによって引き起こされる逆流の問題を避けることもでき、無風感で逆方向吹き付けの気流の構成がより良い。
【００９５】
本発明の説明において、「一つの実施例」、「一部の実施例」、「例示的な実施例」、「例」、「具体的な実施例」、或いは「一部の実施例」などの用語を参考した説明とは、当該実施例或いは例に合わせて説明された具体的な特徴、構成、材料或いは特性が、本発明の少なくとも一つの実施例或いは例に含まれることである。本明細書において、上記用語に対する例示的な説明は、必ずしも同じ実施例或いは例を示すことではない。また、説明された具体的な特徴、構成、材料或いは特性は、いずれか一つ或いは複数の実施例又は例において適切に結合することができる。また、互いに矛盾しない状況の場合、当業者は、本明細書に記載された異なる実施例又は例及び異なる実施例又は例の特徴を結合及び組み合わせることができる。
【００９６】
本発明の実施例を示して説明したが、当業者は、本発明の原理及び主旨から逸脱しない場合に、これらの実施例に対して各種の変化、修正、切り替え及び変形を行うことができる。本発明の範囲は、特許請求の範囲及びその等価物により限定される。
【符号の説明】
【００９７】
１００      空気調和機
１          本体
１０１      吹出口
１１        前側導風アセンブリ
１１１      第１導風板
１１２      第２導風板
１０２      上側通路
１２        上側導風アセンブリ
１２１      上側風拡散板
１２２      上側スポイラー
１０３      下側通路
１３        下側導風アセンブリ
１３１      下側風拡散板
１３２      下側スポイラー
１４        保温部材
Ａ          吹出口１０１の吹出方向
Ｂ          上側通路の吹出方向
Ｃ          下側通路の吹出方向
【図１ａ】
2020506358.tif 000003
【図１ｂ】
2020506358.tif 000004
【図１ｃ】
2020506358.tif 000005
【図１ｄ】
2020506358.tif 000006
【図１ｅ】
2020506358.tif 000007
【図１ｆ】
2020506358.tif 000008
【図１ｇ】
2020506358.tif 000009
【図２ａ】
2020506358.tif 000010
【図２ｂ】
2020506358.tif 000011
【図２ｃ】
2020506358.tif 000012
【図２ｄ】
2020506358.tif 000013
【図２ｅ】
2020506358.tif 000014
【図３ａ】
2020506358.tif 000015
【図３ｂ】
2020506358.tif 000016
【図３ｃ】
2020506358.tif 000017
【図３ｄ】
2020506358.tif 000018
【図３ｅ】
2020506358.tif 000019
【図３ｆ】
2020506358.tif 000020
【図３ｇ】
2020506358.tif 000021
【図３ｈ】
2020506358.tif 000022
【図３ｉ】
2020506358.tif 000023
【図３ｊ】
2020506358.tif 000024
【国際調査報告】
2020506358.tif 000025
2020506358.tif 000026
2020506358.tif 000027
2020506358.tif 000028
2020506358.tif 000029